(57)【特許請求の範囲】
【請求項１】
浴槽が収容される収容部が形成された保温本体部と、
前記保温本体部の前記浴槽の壁を貫通して該壁に取り付けられる配管接続部材に対応した位置に形成された開口と、
前記保温本体部と一体に形成され、前記開口の外側下方に位置する水受パン部と、
を有する浴槽保温部材。
【請求項２】
前記浴槽と該浴槽に隣接する洗い場との間には、これらと一体に形成された浴槽エプロンが設けられ、
前記水受パン部は、前記収容部に前記浴槽を収容した状態で、前記浴槽エプロンまで延設され、前記浴槽エプロンに形成された貫通穴に対応した位置に水戻し穴が設けられている請求項１に記載の浴槽保温部材。
【請求項３】
前記水受パン部は、底面が前記開口側から前記水戻り穴側へ向かって下方に傾斜している請求項２に記載の浴槽保温部材。
【請求項４】
前記水受パン部は、前記保温本体部の外壁全周に亘って形成されている請求項１〜請求項３の何れか１項に記載の浴槽保温部材。
【請求項５】
前記保温本体部及び前記水受パン部は、断熱材で形成されている請求項１〜請求項４の何れか１項に記載の浴槽保温部材。
【請求項６】
前記水受パン部には、複数の堰が設けられている請求項５に記載の浴槽保温部材。
【請求項７】
請求項１〜請求項６の何れか１項に記載の浴槽保温部材と、
前記浴槽保温部材の収容部に収容された浴槽と、
前記浴槽保温部材の開口を挿通すると共に前記浴槽の壁を貫通して該壁に取り付けられ、外部配管と前記浴槽とを接続する配管接続部材と、
を備え、前記浴槽の壁の外面と前記開口との間がシールされた浴槽の水受構造。
【発明の詳細な説明】
【技術分野】
【０００１】
本発明は、浴槽保温部材及び、この浴槽保温部材を用いた浴槽の水受構造に関する。
【背景技術】
【０００２】
洗い場付浴槽として、架台の上に浴槽と洗い場とを一体的に形成したタイプのもの（いわゆるハーフパン）がある（例えば、特許文献１参照）。この種のハーフパンの洗い場付浴槽に追い焚き機能があるときには、浴槽の壁を貫通して該壁へ取り付ける追い焚き用アダプタの取付部分から漏水する虞があるため、浴槽の壁の追い焚きアダプタよりも下方に水受パンを取り付けて、架台が固定された建築躯体に漏水が到達しないようにしている。
【０００３】
また、浴槽の裏面に保温材を貼り付けて浴槽内の湯の温度低下を防止する浴槽の保温構造が提案されている（特許文献２参照）。
しかし、浴槽に水受パンを取り付けるには、浴槽へ追い焚き用アダプタを取り付けた取付部分から水受パンの取付部分までの保温材を取り除いて漏水した水が伝い降りる道を形成しなければならないため、保温材を取り除いた部分において、保温性能が低下する問題がある。
【先行技術文献】
【特許文献】
【０００４】
【特許文献１】特開２００７−２０８６５号公報
【特許文献２】特開２００６−１４１７５６号公報
【発明の概要】
【発明が解決しようとする課題】
【０００５】
以上のことから、本発明は、浴槽の壁を貫通して該壁に取り付けられた配管接続部材の取付部分からの漏水が建築躯体へ至るのを防止しつつ、浴槽内の湯を保温する保温性の低下を抑制した浴槽保温部材、及び浴槽の水受構造の提供を目的とする。
【課題を解決するための手段】
【０００６】
請求項１の浴槽保温部材は、浴槽が収容される収容部が形成された保温本体部と、前記保温本体部の前記浴槽の壁を貫通して該壁に取り付けられる配管接続部材に対応した位置に形成された開口と、前記保温本体部と一体に形成され、前記開口の外側下方に位置する水受パン部と、を有する。
【０００７】
請求項１の浴槽保温部材によれば、浴槽を保温本体部の収容部に収容し、浴槽の壁を貫通して該壁へ取り付けられた配管接続部材の取付部分から漏水が生じた場合、漏水は、開口を通り、保温本体部の外壁面を伝って流れ落ち、開口の下方に位置する水受パン部により受け止められる。これにより、上記取付部分からの漏水が建築躯体に至るのが防止される。
【０００８】
また、水受パン部が、保温本体部と一体に形成されていることから、別体の水受パンを浴槽に取り付けるために水受パン取付周囲の保温本体部を取り除く必要がないため、浴槽内の湯を保温する保温性の低下が抑制される。
【０００９】
請求項２の浴槽保温部材は、請求項１の浴槽保温部材において、前記浴槽と該浴槽に隣接する洗い場との間には、これらと一体に形成された浴槽エプロンが設けられ、前記水受パン部は、前記収容部に前記浴槽を収容した状態で、前記浴槽エプロンまで延設され、前記浴槽エプロンに形成された貫通穴に対応した位置に水戻し穴が設けられている。
【００１０】
請求項２の浴槽保温部材によれば、浴槽を収容部に収容した状態において、水受パン部で受け止めた漏水は、水戻し穴と貫通穴を通り、浴槽エプロンの表面を伝って洗い場へ流れ落ちる。これにより、水受パン部で受け止めた漏水が水受パン部から溢れるのが防止される。なお、浴槽エプロンを伝って水が流れ落ちることで、目視で上記取付部分からの漏水を検知することができるようになる。
【００１１】
請求項３の浴槽保温部材は、請求項２の浴槽保温部材において、前記水受パン部は、底面が前記開口側から前記水戻り穴側へ向かって下方に傾斜している。
【００１２】
請求項３の浴槽保温部材によれば、水受パン部の底面が開口側から水戻り穴側へ向かって下方に傾斜していることから、水受パン部に水が溜まることなく、水戻し穴から水が排水される。
【００１３】
請求項４の浴槽保温部材は、請求項１〜請求項３の何れか１項の浴槽保温部材において、前記水受パン部は、前記保温本体部の外壁全周に亘って形成されている。
【００１４】
請求項４の浴槽保温部材によれば、浴槽の壁に配管接続部材とは別に、手すりを取り付けたり、浴槽排水口用のゴム栓のチェーンの一端を引掛かけるヒートンを取り付けたりした場合、これらの取付部分から水が漏れ出すことが考えられるが、水受パン部が保温本体部の外壁全周に亘って形成されていることから、漏水が水受パン部で確実に受け止められる。
【００１５】
請求項５の浴槽保温部材は、請求項１〜請求項４の何れか１項の浴槽保温部材において、前記保温本体部及び前記水受パン部は、断熱材で形成されている。
【００１６】
請求項５の浴槽保温部材によれば、保温本体部及び水受パン部を断熱材（例えば、発泡スチロールやウレタンなど）で形成することで、例えば、水受パン部が不要となったときにも、現場にて容易に水受パン部を保温本体部から取り除くことができる。
【００１７】
請求項６の浴槽保温部材は、請求項５の浴槽保温部材において、前記水受パン部には、複数の堰が設けられている。
【００１８】
請求項６の浴槽保温部材によれば、現場にて堰を水受パン部から取り除くことで、水受パン部の排水経路を自由に構築することができる。
【００１９】
請求項７の浴槽の水受構造は、請求項１〜請求項６の何れか１項に記載の浴槽保温部材と、前記浴槽保温部材の収容部に収容された浴槽と、前記浴槽保温部材の開口を挿通すると共に前記浴槽の壁を貫通して該壁に取り付けられ、外部配管と前記浴槽とを接続する配管接続部材と、を備え、前記浴槽の壁の外面と前記開口との間がシールされている。
【００２０】
請求項７の浴槽の水受構造によれば、浴槽の壁を貫通して該壁へ取り付けられた配管接続部材の取付部分から漏水が生じた場合、漏水は、浴槽の壁の外面と浴槽保温部材の開口との間がシールされていることから上記開口を通り、浴槽保温部材の外壁面を伝って流れ落ち、開口の下方に位置する水受パン部により受け止められる。これにより、上記取付部分からの漏水が建築躯体に至るのが防止される。
【００２１】
また、水受パン部は、保温本体部と一体に形成されていることから、別体の水受パンを取り付けるために水受パン取付周囲の保温本体部を取り除く必要がないため、浴槽内の湯を保温する保温性の低下が抑制される。
【発明の効果】
【００２２】
以上説明したように、浴槽保温部材及び浴槽の水受構造は、前記浴槽の壁を貫通して該壁に取り付けられた配管接続部材の取付部分からの漏水が建築躯体へ至るのを防止することができると共に、浴槽内の湯を保温する保温性の低下を抑制することができる。
【図面の簡単な説明】
【００２３】
【図１】本発明の第１の実施形態の浴槽を浴槽保温部材に収容した状態を示す斜視図である。
【図２】本発明の第１の実施形態の浴槽と浴槽保温部材とを分離した状態を示す斜視図である。
【図３】浴槽へ追い焚き用アダプタを取り付けた取付部分から漏水が生じた場合の水の流れを示す斜視図である。
【図４】追い焚き用アダプタと浴槽との取付部分を平面視した部分断面図である。
【図５】水受パンの先端部と浴槽エプロンとの接触状態を示す側断面図である。
【図６】本発明の第１の実施形態の浴槽保温部材の変形例を示す斜視図である。
【図７】図６の変形例の水受パンを取り除いた状態を示す斜視図である。
【図８】本発明の第２の実施形態の浴槽保温部材を示す斜視図である。
【図９】本発明の第２の実施形態の浴槽保温部材の変形例を示す平面図である。
【発明を実施するための形態】
【００２４】
（第１の実施形態）
次に、本発明の浴槽保温部材及び浴槽の水受構造の第１の実施形態について説明する。
図１及び図２には、本発明の浴槽保温部材５０を取り付けた洗い場付き浴槽１２の全体構成が示されている。この洗い場付き浴槽１２は、いわゆるハーフパンのユニットバスタイプの浴槽とされている。なお、以下では、洗い場付き浴槽１２の幅方向、奥行き方向及び高さ方向を、それぞれ矢印Ｗ、矢印Ｄ及び矢印Ｈでそれぞれ示す。
【００２５】
洗い場付き浴槽１２は、洗い場１４と、浴槽１６を有し、さらに、これら洗い場１４と浴槽１６とに一体成形された浴槽エプロン１８を有している。
【００２６】
洗い場１４は、略平板状に形成されており、入浴者の洗い場となる。また、浴槽１６の上端には、フランジ部１６Ｃが一体成形されている。そして、洗い場１４と浴槽１６（フランジ部１６Ｃ）との間で、浴槽エプロン１８が一体成形されており、これによって、浴槽１６から浴槽エプロン１８を経て洗い場１４へと連続する洗い場付き浴槽１２が構成されている。
【００２７】
洗い場１４及び浴槽１６において、浴槽エプロン１８と連続する辺以外のそれぞれ３辺（合計で６辺）からは、上方に向けて折り返された折返し辺２４が設けられており、洗い場１４及び浴槽１６の剛性が高められている。折返し辺２４は、洗い場付き浴槽１２が浴室に設置されたときに、浴室内壁（図示省略）よりも外側に位置して、水返しとして作用する。
【００２８】
また、図１に示すように、浴槽１６の洗い場１４側から見て左側の壁１６Ａ（幅方向Ｗの一方の壁）には、追い焚き用アダプタ４０（配管接続部材の一例）が壁１６Ａを貫通して取り付けられている。追い焚き用アダプタ４０は、吸い込み用の配管４２と吐き出し用の配管４４とを介して、浴室外部に設置された追い焚き釜（図示省略）に接続されている。
【００２９】
また、浴槽エプロン１８には、追い焚き用アダプタ４０を点検するための点検口４６が設けられている。この点検口４６は、通常時にはカバー４８で覆われ、追い焚き用アダプタ４０の点検時に開放される。また、この点検口４６の洗い場１４側から見て右隣に円形状の貫通穴１８Ａ（所謂、丸穴）が形成されており、この貫通穴１８Ａは、点検口４６と共にカバー４８によって覆われるようになっている。
【００３０】
図４に示すように、追い焚き用アダプタ４０は、壁１６Ａに形成された円形の貫通穴１６Ｂに挿通されており、浴槽１６の壁１６Ａの外側に基部４０Ａが配置され、壁１６Ａの内側に本体部４０Ｂが配置されている。また、配管４２及び配管４４は、基部４０Ａに接続されている。なお、追い焚き用アダプタ４０と貫通穴１６Ｂ周囲は、漏水防止のためにシール剤又は、シール部材（例えば、ゴムパッキン）などでシールされている。
【００３１】
また、洗い場１４及び浴槽１６の下方には、複数本（本実施形態では２本）の補強チャンネル３６が配設されている。本実施形態では、２本の補強チャンネル３６を、その長手方向が奥行き方向と一致する向きとし、幅方向に間隔をあけて配置している。この補強チャンネル３６により洗い場付き浴槽１２が補強されており、不用意な変形等が抑制されている。
【００３２】
補強チャンネル３６には、複数個の支持脚３８が取り付けられている。支持脚３８の下端面は、建築躯体に接触して、洗い場付き浴槽１２を支持している。
【００３３】
（浴槽保温部材）
図１及び図２に示されるように、浴槽保温部材５０は、浴槽１６が収容される収容部５２が形成された保温本体部５１と、保温本体部５１の収容部５２に浴槽１６を収容したとき貫通穴１８Ａに対応した位置に形成された開口５４と、保温本体部５１と一体に形成され、開口５４の外側下方に位置する水受パン部６０と、を有している。
【００３４】
保温本体部５１は、断熱材の一例としての発泡スチロールを上面が開放された箱形に一体成型したものである。保温本体部５１の収容部５２の内面形状は、浴槽１６の外壁面と同形状で且つ浴槽１６を収容部５２に収容した際に、収容部５２と浴槽１６との間に隙間がない、又は隙間が若干形成されるように、大きさが設定されている。
【００３５】
保温本体部５１の壁５１Ａに形成された開口５４は、円形状とされ且つ貫通穴１６Ｂよりも大径とされ、保温本体部５１の収容部５２に浴槽１６を収容したとき貫通穴１６Ｂと重なるようになっている。また、開口５４は、貫通穴１８Ａの外側に追い焚き用アダプタ４０の基部４０Ａが取り付けられるため、基部４０Ａを避けられる大きさとされている。そして、図４に示されるように、開口５４と浴槽１６の壁１６Ａとの間がシール剤によりシールされている。
【００３６】
保温本体部５１の壁５１Ａに形成された水受パン部６０は、図３に示されるように、壁５１Ａから略水平方向へ張り出した底板部６０Ａと、底板部６０Ａの外縁部に形成され上方に延びる壁部６０Ｂとを有している。また、水受パン部６０は、開口５４の下方から浴槽エプロン１８側の保温本体部５１の壁５１Ｂまで延びている。そして、壁部６０Ｂの浴槽エプロン１８側の外壁面６０Ｃが壁５１Ｂと面一となっている。
【００３７】
また、水受パン部６０の外壁面６０Ｃは、収容部５２に浴槽１６を収容したとき浴槽エプロン１８の貫通穴１８Ａと重なるようになっている。そして、外壁面６０Ｃの下部には、貫通穴１８Ａに対応する位置に円形状の水戻し穴６２（所謂、丸孔）が形成されている。また、図５に示すように、水戻し穴６２と貫通穴１８Ａとの間は、シール剤によってシールされている。さらに、水受パン部６０は、底板部６０Ａの上面（底面６０Ｄ）が開口５４側から水戻り穴６２側へ向かって下方に傾斜している。
【００３８】
また、保温本体部５１及び水受パン部６０は、断熱材（本実施形態では発泡スチロール）によって形成されている。この断熱材は、発泡スチロールに限らず、樹脂を発泡させて成形した発泡成形品を用いることができる。発泡成形品としては、プラスチック系の材料を発泡成形させた発泡プラスチックや、ウレタンなどを用いてもよい。また、発泡プラスチックとしては、発泡ポリプロピレン（ＥＰＰ）、発泡ポリエチレン（ＥＰＥ）、及び発泡スチロール（ＥＰＳ）などが挙げられるが、現場で取り除く（例えば、カッターなどで切り取る）などして容易に加工できる点から発泡スチロール（ＥＰＳ）を用いることが好ましい。なお、本実施形態では、発泡スチロールを型で一体成型して浴槽保温部材５０の保温本体部５１及び水受パン部６０を形成している。
【００３９】
次に本実施形態の浴槽保温部材５０を洗い場付き浴槽１２に取り付ける取付手順について説明する。
先ず、図２に示されるように、浴槽１６を浴槽保温部材５０の収容部５２に収容する。
浴槽１６が収容部５２に完全に収容されると、浴槽エプロン１８の裏面に浴槽保温部材５０の壁５１Ｂが接触又は近接する。このとき、浴槽１６の貫通穴１６Ｂと浴槽保温部材５０の開口５４が重なる。具体的には、壁５１Ａ側から見て、貫通穴１６Ｂが開口５４の内側に入る。また、壁５１Ｂと面一である水受パン部６０の外壁面６０Ｃも浴槽エプロン１８の裏面に接触又は近接し、浴槽エプロン１８の貫通穴１８Ａと外壁面６０Ｃの水戻し穴６２とが重なる。
【００４０】
次に、図４に示すように、開口５４と貫通穴１６Ｂとの間を、シール剤を用いてシールし、図５に示すように、水戻し穴６２と貫通穴１８Ａとの間を、シール剤を用いてシールする。
【００４１】
そして、浴槽１６の貫通穴１６Ｂに追い焚き用アダプタ４０を挿通させて壁１６Ａに取り付け、この追い焚き用アダプタ４０に配管４２及び配管４４を接続する。
以上の取付手順により、浴槽保温部材５０を取り付けた洗い場付き浴槽１２が完成する。
【００４２】
次に、第１の実施形態の作用について説明する。
図２には、浴槽１６の壁１６Ａの貫通穴１６Ｂを挿通して該壁１６Ａへ取り付けられた追い焚き用アダプタ４０の取付部分Ｕから漏水が生じた場合の水の流れについて示されている。
【００４３】
図２に示すように、取付部分Ｕから漏水が生じた場合、漏水は、開口５４を通り、浴槽保温部材５０の壁５１Ａの外面を伝って流れ落ち、開口５４の下方に位置する水受パン部６０部により受け止められる。これにより、取付部分Ｕからの漏水が建築躯体に至るのが防止される。
【００４４】
また、水受パン部６０が、保温本体部５１と一体成型されていることから、別体の水受パンを取り付けるために水受パン周囲を切り抜いたりする必要がなく、浴槽１６内の湯を保温する保温性の低下が抑制される。
またさらに、水受パン部６０が、保温本体部５１と一体成型されていることから、経時により水受パン部６０の落下が抑制される。
【００４５】
さらに、図２及び図５に示すように、水受パン部６０で受け止めた漏水は、水戻し穴６２と貫通穴１８Ａを通り、浴槽エプロン１８の表面を伝って洗い場１４へ流れ落ちる。これにより、水受パン部６０で受け止めた漏水が水受パン部６０から溢れ出るのが防止される。また、浴槽エプロン１８の表面を伝って漏水が流れ落ちることで、目視で取付部分Ｕからの漏水を検知することができる。
【００４６】
そして、本実施形態では、例えば、ホースなどの部材を用いて水受パンに溜まった漏水を浴槽エプロン１８へ導くものと比べて、ホースなどの部材を用いる必要がない構成のため、部品点数が少なく、さらには、ホースなどの部材と水受パンとの接続部分からの漏水の可能性もない。
【００４７】
そして、水受パン部６０の底面６０Ｄが開口５４側から水戻り穴６２側へ向かって下方に傾斜していることから、水受パン部６０に水が溜まることなく、水戻し穴６２から漏水が排水される。
【００４８】
また、保温本体部５１及び水受パン部６０を発泡スチロールで形成することで、現場で水受パン部６０が不要となったとき、例えばカッターなどで容易に水受パン部６０を保温本体部５１から取り外す（切り離す）ことができる。
【００４９】
また、第１の実施形態では、図２に示すように、保温本体部５１の幅方向の一方の壁５１Ａに開口５４を形成し、この開口５４の下方に水受パン部６０を形成する構成としたが、本発明はこの構成に限らず、図６に示すように、保温本体部５１の幅方向の他方の壁に開口５５を形成し、開口５５の下方に水受パン部６１を形成する構成としてもよい。このように、保温本体部５１の壁５１Ａ、壁５１Ｂにそれぞれ開口５４、開口５５、さらに水受パン部６０、水受パン部６１を形成することで、浴槽１６に対して左右対称の浴槽（追い焚き用アダプタ４０が洗い場１４側から見て右側に形成された浴槽）にも浴槽保温部材５０を取り付けられるようになる。これにより、浴槽保温部材５０が複数種類の浴槽１６に対応できるようになる。また、上述の左右対称の浴槽に浴槽保温部材５０を取り付ける場合には、図７に示されるように、幅方向の一方（洗い場１４側から見て左側）の水受パン部６０をカッター等で切り取り、開口５４と同じ大きさ又は若干大きい発泡スチロール製の塞板５９で開口５４を塞ぐことで、浴槽１６内の湯を保温する保温性の低下を抑制することができる。
【００５０】
（第２の実施形態）
次に、本発明の浴槽保温部材及び浴槽の水受構造の第２の実施形態について説明する。なお、本実施形態では、本実施形態で用いる浴槽保温部材７０の構成が第１の実施形態の浴槽保温部材５０の構成と異なり、それ以外は第１の実施形態と同様の構成である。なお、第１の実施形態と同様の構成には同一の符号を付し、説明は省略する。
【００５１】
図８に示されるように、浴槽保温部材７０は、保温本体部５１と、開口５４と、開口５４が形成された壁５１Ａと反対側の壁５１Ｃに形成された開口５４と同形状の開口５５と、保温本体部５１と一体に形成され、開口５４及び開口５５の外側下方に位置する水受パン部７２と、を有している。
【００５２】
水受パン部７２は、保温本体部５１の外壁全周に亘って形成されており、外壁から張り出す底板部７２Ａと底板部７２Ａの外縁部に形成されて上方に延びる壁部７２Ｂとを有している。また、壁部７２Ｂの浴槽エプロン１８側の外壁面７２Ｃには、浴槽エプロン１８の貫通穴１８Ａに対応した位置に略矩形状の水戻し穴７４が形成されている。さらに、水受パン部７２は、底面７２Ｄが開口５４側から水戻し穴７４側に向かって下方に傾斜している。なお、本実施形態では、浴槽１６を収容部５２に収容したとき浴槽エプロン１８の裏面と水受パン部７２の外壁面７２Ｃが接触するようになっている。また、洗い場付き浴槽１２に浴槽保温部材７０を取り付けた後は、水戻し穴７４と浴槽エプロン１８の貫通穴１８Ａとの間をシールする。
【００５３】
ここで、浴槽１６に追い焚き用アダプタ４０とは別に、手すりを浴槽１６の内壁を貫通させて該内壁に取り付けたり、浴槽１６の排水口用のゴム栓のチェーンの一端を引掛かけるヒートンを浴槽１６の内壁を貫通させて該内壁に取り付けたりした場合に、これらの取付部分から水が漏れ出すことが考えられるが、水受パン部７２が浴槽保温部材７０の外壁全周に亘って形成されていることから、漏れ出した水は水受パン部７２で確実に受け止められる。これにより、取付部分Ｕ及び上記他の部材の取付部分からの漏水も建築躯体に至るのが防止される。なお、本実施形態においても第１の実施形態と同じ作用効果が得られる。
【００５４】
また、第２の実施形態の水受パン部７２に予め複数の堰７８を形成しておき、水受パン部７２を複数の領域に仕切る構成としてもよい（図９参照）。このような水受パン部７２は、現地での仕様に合わせて、堰７８をカッターなどで切り取ることで、水受パン部７２の排水経路を自由に設定することができる。また、堰７８が形成されていることで、堰７８を有さないものと比べて、水受パン部７２の剛性が向上する。
【００５５】
なお、上述の実施形態では、保温本体部５１が型で一体成型される構成としたが、本発明はこの構成に限らず、型で成型した複数のパーツを接着剤などで接合して保温本体部５１を形成する構成としてもよい。なお、開口５４に対応するパーツは一つのパーツで構成することが漏水の観点から好ましい。
【００５６】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００５７】
１４            洗い場
１６            浴槽
１６Ａ          壁
１６Ｂ          貫通穴
１８            浴槽エプロン
１８Ａ          貫通穴
４０            追い焚き用アダプタ（配管接続部材）
４２、４４      配管（外部配管）
５０、７０      浴槽保温部材
５１            保温本体部
５２            収容部
５４            開口
６０、７２      水受パン部
６０Ｃ、７２Ｃ  外壁面
６０Ｄ、７２Ｄ  底面
６２、７４      水戻し穴
７８            堰
Ｕ              取付部分
【図１】
0005638208.tif 000002
【図２】
0005638208.tif 000003
【図３】
0005638208.tif 000004
【図４】
0005638208.tif 000005
【図５】
0005638208.tif 000006
【図６】
0005638208.tif 000007
【図７】
0005638208.tif 000008
【図８】
0005638208.tif 000009
【図９】
0005638208.tif 000010